(57)【要約】      （修正有）【課題】人工呼吸用マスク、このマスクの配置、このマスクを含む人工呼吸システムを提供する。【解決手段】患者に人工呼吸を行うための人工呼吸用マスク１において、患者にマスク１を固締するために、鼻被覆チャンバ２の鼻翼部４，５および鼻背部６に、それぞれ、第１および第２の固締用タブ１１，１２ならびに第３の固締用タブ１３を設ける。また、人工呼吸用マスクの配置として、人工呼吸用マスク１、患者２９の頭部に装着される帽子、ならびに人工呼吸用マスク１を患者の頭部に固締するために、固締用タブ１１，１２，１３および帽子と協働する固締手段を設ける。さらに、人工呼吸システムとして、人工呼吸用マスクの配置に、陽圧の空気を連続的に送り込む人工呼吸装置を組み合わせる。【選択図】図１
2012061313.tif 000002
【特許請求の範囲】
【請求項１】
患者（２９）に人工呼吸を行うための人工呼吸用マスク（１）であって、鼻被覆チャンバ（２）と、この鼻被覆チャンバ（２）の鼻翼部（４，５）および鼻背部（６）にそれぞれ設けられた、第１および第２の固締用タブ（１１，１２）ならびに第３の固締用タブ（１３）を含む、マスク（１）を患者（２９）に固締するための少なくとも３つの固締用タブ（１１，１２，１３）とを備える人工呼吸用マスク。
【請求項２】
前記第１および第２の固締用タブ（１１，１２）は、ともに第１の固締軸（１５）上に設けられ、前記第３の固締用タブ（１３）は、前記第１の固締軸（１５）と直交する第２の固締軸（１６）上に設けられることを特徴とする請求項１に記載の人工呼吸用マスク。
【請求項３】
患者（２９）の顔面上に載る周縁部（１７）をさらに有することを特徴とする請求項１または２に記載の人工呼吸用マスク。
【請求項４】
前記周縁部（１７）は、シリコーンゲルを含む材料からなる封止材（２２）を収容する溝（２１）を有することを特徴とする請求項３に記載の人工呼吸用マスク。
【請求項５】
前記固締用タブ（１１，１２，１３）は、前記周縁部（１７）に設けられることを特徴とする請求項３または４に記載の人工呼吸用マスク。
【請求項６】
請求項１乃至５のいずれかに記載の人工呼吸用マスク（１）と、患者（２９）の頭部（２８）に装着される帽子（３０）と、人工呼吸用マスク（１）を患者（２９）の頭部（２８）に固締するために、前記固締用タブ（１１，１２，１３）および帽子（３０）と協働する固締手段（２４，２５，２６）とからなる人工呼吸用マスクの配置（２７）。
【請求項７】
前記固締手段（２４，２５，２６）は、面ファスナであることを特徴とする請求項６に記載の人工呼吸用マスクの配置（２７）。
【請求項８】
前記固締手段（２４，２５，２６）のうち、第１および第２の固締手段（２４，２５）は帽子（３０）の両耳部（３１，３２）と、第３の固締手段（２６）は帽子（３０）の前額部（３３）と、それぞれ協働するようになっていることを特徴とする請求項６または７に記載の人工呼吸用マスクの配置（２７）。
【請求項９】
請求項６乃至８のいずれかに記載の人工呼吸用マスクの配置（２７）、および陽圧の空気を連続的に送り込む人工呼吸装置（３５）を含む人工呼吸システム（３４）。
【請求項１０】
前記帽子（３０）の前額部（３３）に、前記人工呼吸装置（３５）を帽子（３０）に固締するための固定装置（３６）を備えていることを特徴とする請求項９に記載の人工呼吸システム（３４）。
【請求項１１】
前記固定装置（３６）は、面ファスナであることを特徴とする請求項１０に記載の人工呼吸システム（３４）。
【請求項１２】
周縁部（１７）に溝（２１）を有する請求項１乃至５のいずれかに記載の人工呼吸用マスク（１）と、この人工呼吸用マスク（１）を患者（２９）の顔面に密接させるために、前記溝（２１）の少なくとも一部に収容される封止手段（２２）と、人工呼吸用マスク（１）を用いるまで前記封止手段（２２）を覆う保護フィルム（２３）とを備えるパッケージユニット（４２）。
【請求項１３】
前記封止手段（２２）はシリコーンゲルであることを特徴とする請求項１２に記載のパッケージユニット。
【発明の詳細な説明】
【技術分野】
【０００１】
本明細書においては、特許文献１の記載内容をすべて引用する。
【０００２】
本発明は、人工呼吸用マスク（以下、単に「マスク」ということがある）、このマスクの配置、このマスクを含む人工呼吸システム（以下、単に「システム」ということがある）、およびこのマスクのパッケージユニットに関する。本発明の人工呼吸用マスクは、特に乳幼児に好適である。
【背景技術】
【０００３】
人工呼吸用マスクは、特に集中治療室における人工呼吸の際に用いられる。このような人工呼吸用マスクは、概ねどのような形状の鼻に対してもぴったりと合った状態で使用しうるよう、典型的な鼻の形状と大きさに合わせて、種々の形状と大きさのものが製造されている。人工呼吸用マスクは、給排気ポンプとの接続部を有する。また、人工呼吸用マスクは、患者の両鼻翼に対応して、両側にそれぞれ固締用タブを備える。この固締用タブは、フック−ループストリップ（面ファスナ）等の固締手段を用いて、患者の頭部に固締される。
【０００４】
しかし、人工呼吸用マスクは、例えば患者が動いたときには、鼻背部分において、顔面から持ち上がりやすい。すると、人工呼吸用の空気は、マスクの外に流出することとなり、人工呼吸用マスクは、機能に係る信頼性が保たれなくなる。すなわち、患者が動くと、マスクと給排気ポンプとをつなぐ接続ホースに引張力が働き、マスクの少なくとも一部が患者の顔面から離間することとなるが、このような事態は、当然回避されなければならない。
【先行技術文献】
【特許文献】
【０００５】
【特許文献１】ドイツ国実用新案登録第０９５９２６３号明細書
【発明の概要】
【発明が解決しようとする課題】
【０００６】
本発明は、上記事情に鑑みてなされたものであり、上記の欠点を解消すべく改良された人工呼吸用マスクを提供することを目的とする。
【課題を解決するための手段】
【０００７】
上記の課題は、請求項１に記載の特徴をもつ人工呼吸用マスク、および／または請求項６に記載の特徴をもつ人工呼吸用マスクの配置、および／または請求項９に記載の特徴をもつ人工呼吸システム、および／または請求項１２に記載の特徴をもつ人工呼吸用マスクのパッケージユニットによって実現される。
【０００８】
本発明によれば、患者に人工呼吸を行うための人工呼吸用マスクであって、鼻被覆チャンバ（以下、単に「チャンバ」ということがある）と、この鼻被覆チャンバの鼻翼部および鼻背部にそれぞれ設けられた、第１および第２の固締用タブならびに第３の固締用タブを含む少なくとも３つの固締用タブとを備える人工呼吸用マスクが提供される。
【０００９】
また、本発明によれば、前記人工呼吸用マスク、患者の頭部に装着される帽子、ならびに人工呼吸用マスクを患者の頭部に固締するために前記固締用タブおよび帽子と協働する複数の固締手段を備える人工呼吸用マスクの配置も提供される。
【００１０】
さらに、本発明によれば、前記人工呼吸用マスクの配置、および陽圧の空気を連続的に送り込む人工呼吸装置を含む人工呼吸システムも提供される。
【００１１】
最後に、本発明によれば、周縁部に溝を有する前記人工呼吸用マスクと、この人工呼吸用マスクを患者の顔面に密接させるために、前記溝の少なくとも一部に収容される封止手段と、人工呼吸用マスクを用いるまで前記封止手段を覆う保護フィルムとからなるパッケージユニットも提供される。
【００１２】
本発明の技術的思想の核心は、鼻被覆チャンバの鼻背部に、前記第３の固締用タブを設けたことにある。この結果、公知の人工呼吸用マスクに比べて、患者の顔面に常時密接することが保証され、マスクの装着に係る信頼性と心地よさが、顕著に増大する。
【００１３】
本発明の好ましい態様は、引用形式請求項、および以下の発明を実施するための形態の欄に記載してある。
【００１４】
本発明の好ましい態様によれば、前記第１および第２の固締用タブは、ともに、チャンバの両鼻翼部を結ぶ第１の固締軸上に設け、前記第３の固締用タブは、前記第１の固締軸と直交する第２の固締軸上に設ける。このように２つの固締軸を互いに直交させると、マスクは、互いに最も離間した３点で固締され、患者の顔面に密接する。
【００１５】
本発明の人工呼吸用マスクは、患者の顔面上に載る周縁部を有するのが好ましい。患者の顔面に対するマスクの接触面積が拡大し、マスク装着時の心地よさが増すとともに、患者の顔面に対するマスクの密着性も高まるからである。
【００１６】
本発明の他の好ましい態様によれば、マスクの周縁部に、マスクと患者の顔面との密着性が高まるよう、好ましくはシリコーンゲルからなる封止材を収容する溝を設ける。マスクの装着に係る信頼性が向上するからである。
【００１７】
本発明のさらに他の好ましい態様によれば、前記固締用タブは、マスクの周縁部に設ける。マスクの製造が容易になり、モールド用ツールの構造も簡単になって、マスクの製造コストが低下するからである。
【００１８】
本発明の好ましい態様に係る人工呼吸用マスクの配置によれば、前記複数の固締手段は、面ファスナである。マスクを患者に迅速、臨機応変、かつ簡便に取り付けることができ、取り扱いが簡単になるからである。
【００１９】
本発明の他の好ましい態様によれば、前記各固締手段は、それぞれ、帽子の両耳部および前額部と協働する。マスクは、患者の両耳を結ぶ方向と、患者の前額部を通る方向の２つの方向において固締されることとなり、患者の顔面上で滑らなくなるからである。
【００２０】
本発明の好ましい態様に係る人工呼吸システムによれば、帽子は、前額部上に、前記人工呼吸装置の固定装置を備えているのが好ましい。人工呼吸装置を帽子に固定すると、例えば患者が動き、これに伴って人工呼吸装置が動くときでも、マスクが患者の顔面上で滑らなくなるからである。
【００２１】
前記固定装置は、面ファスナとするのが好ましい。固定装置を帽子に簡単かつ迅速に固定しうるからである。その結果、人工呼吸システムの取り扱いも簡単かつ迅速になる。
【００２２】
本発明の好ましい態様に係るパッケージユニットによれば、前記封止手段はシリコーンゲルである。患者の肌になじみ、マスク装着時の心地よさが増すからである。
【図面の簡単な説明】
【００２３】
【図１】本発明の好ましい実施形態に係る人工呼吸用マスクの背面図である。
【図２】図１のＩＩ−ＩＩ線に沿った断面図である。
【図３】図１に示す人工呼吸用マスク（固締手段を備えている）の正面図である。
【図４】本発明の好ましい実施形態に係る人工呼吸用マスクの配置の正面図である。
【図５】本発明の好ましい実施形態に係る人工呼吸システムの固定装置を開放した状態を示す正面図である。
【図６】図５に示す固定装置を固定した状態を示す正面図である。
【発明を実施するための形態】
【００２４】
以下に、本発明を、好ましい実施形態および添付の図面を参照して説明する。
【００２５】
添付の各図面において、類似の要素、または機能的に等価な要素には、同一の符号を付してある。
【００２６】
以下の説明においては、図１および図２を参照する。両図は、それぞれ、特に乳幼児のための人工呼吸用マスク１の背面図および断面図である。
【００２７】
人工呼吸用マスク１は、患者の鼻の少なくとも一部を覆う鼻被覆チャンバ２を備えている。チャンバ２は、患者の鼻の幾何形状に適合するように形成する。すなわち、チャンバの形状と容積は、マスク１を患者の顔面に装着したときに、チャンバ２の内部が、概ね、好ましくは完全に、患者の鼻によって充填されるようなものにするのが好ましい。すなわち、マスク１は、患者の鼻を、少なくとも部分的には、形状がぴったりと合うように覆うのが好ましい。チャンバ２の壁体３は、患者の鼻を圧迫することのない形状とするのが好ましい。一方、マスク１全体としては、種々の形状と大きさにすることができる。チャンバ２の壁体３は、多くの患者の鼻に適合しうるよう、軟質で可撓性をもつ材料から形成するのが好ましい。壁体３の材料として特に好適なものは、軟質で弾性に富むシリコーンおよび／またはポリウレタンである。また、マスク１は、使い捨て用品とするのが好ましい。
【００２８】
チャンバ２は、好ましくは患者の鼻の両鼻翼に対応する２つの鼻翼部４，５、および患者の鼻の鼻背に対応する鼻背部６を有するのが好ましい。チャンバ２は、さらに、患者の鼻の鼻尖に対応する鼻尖部７も有しているのが好ましい。
【００２９】
チャンバ２の鼻尖部７には、人工呼吸装置をマスク１に接続するための接続用アダプタ８を設けるのが好ましい。人工呼吸装置は、陽圧の空気を連続的に送り出すため、患者は過圧下で呼吸をすることになる。このような人工呼吸装置は、例えばドイツ国実用新案登録第２０２０６６９２号明細書に記載されている。接続用アダプタ８は、２つの開口９，１０が隣り合って設けられた、概ね直方体の形状をなしている。接続用アダプタ８は、チャンバ２の壁体３と一体的に形成するのが好ましい。接続用アダプタ８の開口９，１０は、それぞれ、患者に新鮮な空気を供給し、患者の呼気を回収する。例えば、開口９を給気口、開口１０を排気口とすることができる。空気は、人工呼吸装置からチャンバ２を介して連続的に送られ、患者から吐き出された空気中に含まれる二酸化炭素は、チャンバ２から排出される。
【００３０】
マスク１は、さらに、固締用タブ１１，１２，１３を備えている。固締用タブの設置個数は、任意であるが、少なくとも３つ備えるのが好ましい。固締用タブ１１，１２，１３は、それぞれ、固締ベルトを通すための開口１４を有している。この開口１４は、楕円形、円形、角を丸めた方形等の形状とすることができる。固締用タブ１１，１２，１３は、チャンバ２の壁体３と一体とするのが好ましい。固締用タブ１１，１２，１３は、マスク１の接触面１７よりもいくらか後退した位置（患者の顔面から離れた位置）に設けられているため、患者の顔面に対するマスク１の接触圧は改善される。第１および第２の固締用タブ１１，１２は、チャンバ２の鼻翼部４，５に対応して設けられている。また、固締用タブ１１，１２は、鼻翼部４，５の位置において壁体３の外表面に設けられている。すなわち、第１の固締用タブ１１は、第１の鼻翼部４と、第２の固締用タブ１２は、第２の鼻翼部５と、それぞれ関連づけられている。第１および第２の固締用タブ１１，１２、特にそれぞれの開口１４は、ともに、マスク１における第１の固締軸１５上に位置している。一方、第３の固締用タブ１３は、鼻背部６と関連づけて、特にこの鼻背部６に設けるのが好ましい。第３の固締用タブ１３またはこの開口１４は、第１の固締軸１５と直交する第２の固締軸１６上に位置させるのが好ましい。すなわち、固締用タブ１１，１２，１３またはその開口１４は、概ね、二等辺三角形の頂点に位置するのが好ましい。固締用タブ１１，１２，１３は、チャンバ２から、マスク１の周囲の空間へ延出している。
【００３１】
マスク１の患者に対する接触面１７は、患者の顔面に密着するチャンバ２の周縁部である。チャンバ２の周縁部１７は、患者の顔面に平らに当接することによって、マスク１を支える。チャンバ２の周縁部１７は、概ねＴ字形の内部空間１８を確保しつつ、チャンバ２を患者の顔面に密接させるようになっているのが好ましい。チャンバ２の周縁部１７は、患者の鼻翼上に載る可撓性の封止タブ１９，２０を備えている。また、この周縁部１７は、チャンバ２の壁体３と一体的に形成するのが好ましい。チャンバ２の周縁部１７は、マスク１を患者の顔面に密接させ、接触面積の拡大を通じて、装着時における患者の心地よさを増大させる役割を果たす。固締用タブ１１，１２，１３は、チャンバ２の周縁部１７に設けることもできる。
【００３２】
マスク１の周縁部１７には、溝２１が設けられている。この溝２１は、例えば、断面半円形の凹溝（またはくぼみ）である。溝１７は、封止材２２（シリコーンゲル製）の少なくとも一部を収容しうるようになっているのが好ましい。封止材２２は、マスク１を患者の顔面に密接させる役割を担う。マスク１を使用するまでは、封止材２２を保護するため、封止材２２は、例えば取り外し可能な保護フィルム２３で覆う。保護フィルム２３は、例えば、ポリエチレンフィルムから形成することができる。また、保護フィルム２３は、マスク１の使用前には、チャンバ２をも完全に封止しているのが好ましい。マスク１を使用するまでは、チャンバ２を粉塵から保護するためである。封止材２２と保護フィルム２３を備えたマスク１は、人工呼吸装置の付属品として入手しうるようなパッケージユニット４２を構成する。
【００３３】
図３は、図１および図２に示す人工呼吸用マスク１の正面図である。マスク１を患者に装着するための固締手段２４，２５，２６は、固締用タブ１１，１２，１３の各開口１４に通される。固締手段２４，２５，２６は、面ファスナとするのが好ましい。この外、固締手段２４，２５，２６は、スナップ式ファスナその他の取り外し可能な締め付け手段とすることもできる。面ファスナ２４，２５，２６は、ループ部（またはフリース部）、およびこれと係り合うフック部を有する。フリース部は、対応するフック部をもつ同一の面ファスナに設けることも、別体（布製品等）に設けることもできる。また、フック部とループ部は、面ファスナ２４，２５，２６の一方の側にだけ設けることも、両側に設けることもできる。
【００３４】
図４は、図１〜図３に示すマスク１、および患者２９の頭部２８に被せる帽子３０からなる人工呼吸用マスクの配置２７を示す。帽子３０は、使い捨て製品、または殺菌処理により再使用可能となる製品のいずれでもよい。帽子３０は、患者２９の頭部２８にぴったりと被さるよう、種々の大きさおよび形状に形成する。
【００３５】
マスク１を患者２９の頭部２８に固締するため、固締手段２４，２５，２６を、マスク１の固締用タブ１１，１２，１３および帽子３０と協働させる。まず、固締手段２４，２５，２６を、固締用タブ１１，１２，１３の各開口１４に通す。固締手段２４，２５，２６は、帽子３０の布材料と係り合うようになっているのが好ましい。例えば、帽子３０の一部または全部を、固締手段２４，２５，２６のフック部と係合しうる材料（フリース材またはループ材）から形成する。その結果、マスク１は、患者２９の頭部２８にしっかりと固締される。第１および第２の固締手段２４，２５は、帽子３０の両耳部３１，３２および対応する固締用タブ１１，１２と協働するようになっているのが好ましい。他方、第３の固締手段２６は、帽子３０の前額部３３、およびマスクの鼻背部６に関連づけられた固締用タブ１３と協働するようになっているのが好ましい。こうすると、マスク１は、患者２９の鼻背にしっかりと載せることができるため、人工呼吸用マスクの装着に係る信頼性は高まる。
【００３６】
図５は、図４に示す人工呼吸用マスク２７の配置を採用した人工呼吸システム３４を示す。このシステム３４は、さらに、連続的に陽圧の空気を送り出す人工呼吸装置３５を備えている。人工呼吸装置３５は、給排気ホース４０，４１を介して、給排気ポンプ（図示せず）と接続されている。人工呼吸装置３５は、マスク１の接続用アダプタ８と協働する。このような人工呼吸装置３５は、例えば、前述のドイツ国実用新案登録第２０２０６６９２号明細書に記載されている。
【００３７】
帽子３０の前額部３３には、人工呼吸装置３５を固定するための固定装置３６を設けるのが好ましい。また、固定装置３６は、面ファスナが好ましい。なお、固定装置３６は、スナップ式、編み上げ式、フック式その他の取り外し可能な固定手段とすることもできる。図示の面ファスナ式固定装置３６は、中央の両面をループ面（またはフリース面）３７とし、このループ面３７の両横端をフックストリップ面３８，３９としたものである。固定装置３６は、帽子３０の前額部３３に縫い付けたり、接着させたりするだけでなく、帽子３０から引き剥せるようにすることもできる。
【００３８】
図５は、固定装置３６を開放した状態を示している。人工呼吸装置３５を帽子３０に固定するため、固定装置３６中央のフリース面３７を、人工呼吸装置３５の給排気ホース４０と４１の間に位置させるとともに、フック面３８，３９を、給排気ホース４０，４１に巻き付けながら、フリース面３７に貼り付ける。したがって、図６に示すように、人工呼吸装置３５は、患者２９の頭部２８にしっかりと固定される。
【符号の説明】
【００３９】
１  人工呼吸用マスク
２  鼻被覆チャンバ
３  壁体
４  鼻翼部
５  鼻翼部
６  鼻背部
７  鼻尖部
８  接続用アダプタ
９  開口
１０  開口
１１  第１の固締用タブ
１２  第２の固締用タブ
１３  第３の固締用タブ
１４  開口
１５  第１の固締軸
１６  第２の固締軸
１７  接触面
１８  内部空間
１９  封止タブ
２０  封止タブ
２１  溝
２２  封止材
２３  保護フィルム
２４  第１の固締手段
２５  第２の固締手段
２６  第３の固締手段
２７  人工呼吸用マスクの配置
２８  頭部
２９  患者
３０  帽子
３１  耳部
３２  耳部
３３  前額部
３４  人工呼吸用システム
３５  人工呼吸装置
３６  固定装置
３７  フリース部
３８  フック部
３９  フック部
４０  給気ホース
４１  排気ホース
４２  パッケージユニット
【図１】
2012061313.tif 000003
【図２】
2012061313.tif 000004
【図３】
2012061313.tif 000005
【図４】
2012061313.tif 000006
【図５】
2012061313.tif 000007
【図６】
2012061313.tif 000008